(57)【要約】【課題】  使用安全性と廃棄性に優れ、且高い吸油性や消臭性並びに調湿性を発揮する吸油、消臭並びに調湿性紙材を提供する。【解決手段】  加工原紙からなる素地の一側面に、アクリル酸若しくはメタクリル酸エマルジョンからなる塗着成分により、平均粒径が３０μｍ以下で比表面積が少なくとも８０ｍ２／ｇ以上及び塩基置換容量（ｍｅｑ／１００ｇ）が２５０ｍｇ以上の人工ゼオライト粉体若しくは合成ゼオライト粉体が、素地の坪量に対して少なくとも５０％重量割合以上で、且連続気泡構造の塗膜により塗着形成された構成。【選択図】  図１
2005179870.tif 000002
【特許請求の範囲】
【請求項１】
加工原紙からなる素地の一側にアクリル酸若しくはメタクリル酸エマルジョンからなる塗着成分により平均粒径が３０μｍ以下で比表面積が８０ｍ２／ｇ以上及び塩基置換容量（ｍｅｑ／１００ｇ）が２５０ｍｇ以上の人工ゼオライト粉体若しくは合成ゼオライト粉体が素地の坪量に対して少なくとも５０％重量割合以上で、且連続気泡構造の塗膜により塗着されてなることを特徴とする吸油、消臭並びに調湿性紙材。
【請求項２】
塗着成分がポリビニルアルコール水溶液からなる請求項１記載の吸油、消臭並びに調湿性紙材。
【請求項３】
素地の両側面に人工ゼオライト粉体若しくは合成ゼオライト粉体が連続気泡構造塗膜により塗着されてなる請求項１若しくは請求項２記載の吸油、消臭並びに調湿性紙材。
【発明の詳細な説明】
【技術分野】
【０００１】  本発明は吸油性や消臭性及び調湿性に著しく優れた紙材に係り、食品類の包装を初めグリーストラップ或いは要介護者用シーツ等には極めて好適な吸油、消臭並びに調湿性紙材に関するものである。
【背景技術】
【０００２】  果実を初め葉菜類、根菜類或いは果菜類等の野菜は、生産出荷から消費に至る間の流通過程においては、通気性を保持させ且軽量で保形性にも優れること等から、その収納輸送容器として専らダンボール箱が使用されているものの、水分蒸散面の多い葉菜類においては流通時の水分蒸散による萎縮が発生するため、出荷に際して多量の水分を散水させて輸送する必要が生じ従って耐水ダンボール類の使用が強いられ、更に生花の場合においても萎縮は商品価値を著しく滅失させる結果ともなるため、輸送に際しては水分蒸散に対しても十分に水分補給がなしえるよう、切断茎部周辺に吸水させた紙塊を付帯させることが強いられている。更に収納された果実や野菜等はその呼吸に伴い炭酸ガスやエチレンガスが排出され、とりわけエチレンガスの酵素活性による短時の追熟が招来される等、果実や野菜の収納輸送容器としては過剰な水分蒸散の抑制並びに発生ガスの吸着機能が強く要請されている。【０００３】  他方菓子類やパン等の加工食品においても近年の嗜好の多様化に伴い、多量の油脂を用いたクッキー類や揚げパン類、揚げせんべい類等が多量に消費されるに至っている。
而してクッキー類はベイキングに伴い溶出する油脂の拡散を防止するうえから、パラフィン塗工紙等油脂の浸透防止が可能な所謂ベイキングシート上に所要形状の生地を載置のうえベイキングがなされるものの、ベイキング時の加熱に伴い該ベイキングシートより環境ホルモンの発生が検出されたこと、及び該ベイキングシート上に溶出拡散されたままの油脂分は空気との接触面積が大きく、短時に酸化されて風味を損う問題をも内在している。【０００４】  加えて食品加工工場の廃水や、飲食店舗等の厨房廃水中には多量の油脂分が混在して排出されるもので、食品加工工場の廃水処理に際してはその前処理において油水分離のために多種多量の化学薬剤が混入され処理がなされるため多大な維持コストが強いられており、反面厨房廃水に際しては排水管への排水に際してグリーストラップを設け、該グリーストラップ内面に混在する油脂分を接触付着せしめ、油脂分の排水管内への流失による閉塞事故の防止を図っているものであるが、該グリーストラップ内面に付着した油脂は、厨房関係者がその付着状況に応じて杓形の除油具で剥油除去せねばならず著しく面倒な作業であるばかりか、放置すると油脂の変性固化によりその剥油除去が極めて困難となり且変性に伴う臭気も発生して厨房環境が悪化する結果ともなっている。
これがため合成繊維の粗目の織物を該グリーストラップの油水面に配位させて油脂分を付着のうえ適宜に交換させることが試みられてなるものの、合成繊維織物では特段に油脂の付着性も無く、而も交換に伴う廃棄面に制約される問題をも抱えている。【０００５】  発明者等はかかる実情に鑑み鋭意研究を重ねた結果、人工ゼオライト粉体や合成ゼオライト粉体は油に対して優れた吸油性を保持するばかりか、極めて微細な連続気泡状の細孔を膨大数保持しその比表面積が極めて膨大で臭気ガスや湿気に対しての吸着容量や吸湿容量も著しく膨大で臭気の吸着や湿気の吸湿にも著しく優れ、且近傍湿度の変化により吸湿並びに放湿所謂調湿性をも保持すること、並びに該人工ゼオライト粉体や合成ゼオライト粉体は本質的に触媒作用を有することから、該人工ゼオライト粉体若しくは合成ゼオライト粉体に強い塩基置換性を付与せしむることにより吸着された臭気を化学的に分解消臭しえることを究明した。
これがため素地として適宜の加工原紙を用いるとともに、該素地の一側面若しくは両側面に、安全性が高く且人工ゼオライト粉体や合成ゼオライト粉体の吸油性や吸着性或いは吸湿性が阻害されぬよう所要重量割合に塗着させた紙材により、これら問題が解決しえることに想到し本発明に至った。
【発明の開示】
【発明が解決しようとする課題】
【０００６】  本発明は使用安全性と廃棄性に優れるとともに、高い吸油性や消臭性並びに調湿性を発揮しえる吸油、消臭並びに調湿性紙材を提供することにある。
【課題を解決するための手段】
【０００７】  上述の課題を解決するために本発明が用いた技術的手段は、使用目的に適合する加工原紙を素地といて用い、この素地の一側面に使用安全性が高く且強固な塗着性と塗着形成後の塗膜を連続気泡構造に形成させるうえから、塗着成分としてアクリル酸若しくはメタクリル酸エマルジョンを用い、而も接触する油脂や臭気並びにガス若しくは湿気を積極的に吸油、吸着若しくは吸湿させるうえからは、その接触表面積率の極めて大きな所謂微粒状のものが好適であること及び塗着面を平滑に形成させるうえから、その平均粒径が３０μｍ以下で且接触する油脂や臭気並びにガス或いは湿気を効率良く吸油、吸着し若しくは吸湿させるためには十分に大きな吸油容量や吸着容量或いは吸湿容量が望まれることから、その比表面積においては少なくとも８０ｍ２／ｇ以上で、而も吸着された臭気やガスを分解消臭若しくは分解消去させるうえからは、その本質的に保持する触媒作用と且強い塩基置換性が望まれるため、塩基置換容量（ｍｅｑ／１００ｇ）において少なくとも２５０ｍｇ以上の人工ゼオライト粉体若しくは合成ゼオライト粉体が選択使用される。【０００８】  かくして選択された人工ゼオライト粉体若しくは合成ゼオライト粉体の吸油性や消臭性若しくは吸湿性をより確実に発揮させるためには、その絶対吸油容量や絶対吸着容量若しくは絶対吸湿容量を素地の全体に亘って膨大容量を以って形成させる必要上より、少なくともその塗着重量としては素地の坪量に対して５０％重量割合以上の塗着重量割合で塗着がなされる。
そしてこの塗着に際しての塗着成分は広範囲に亘る使用条件下においても安全性が高く且素地との強固な塗着ができ、而も塗着後の加熱乾燥により水分蒸散に伴う蒸散孔と、塗着成分に予め配合される気泡剤の発泡とにより連続気泡構造の塗膜を以って人工ゼオライト粉体若しくは合成ゼオライト粉体の塗着を図るうえから、アクリル酸若しくはメタクリル酸エマルジョンからなる塗着成分の塗着剤を用いて塗着形成させた吸油、消臭並びに吸湿性紙材の構成に存する。【０００９】  更には塗着成分をアクリル酸若しくはメタクリル酸エマルジョンに代えてポリビニルアルコール水溶液を用いて塗着形成させる構成、及び使用目的により多量の油脂、臭気並びにガス或いは湿気等の吸油、消臭並びに吸湿を図るため、素地の両側面に人工ゼオライト粉体若しくは合成ゼオライト粉体がその両側面にそれぞれ素地の坪量に対して少なくとも５０％重量割合以上の塗着重量割合で、且連続気泡構造の塗膜を以って塗着形成させてなる構成の吸油、消臭並びに吸湿紙材に存する。
【発明の効果】
【００１０】  本発明は上述の如き構成からなるため、本発明により果実や野菜等の収納容器や包装袋を形成させ、若しくは生花や野菜等を包被し或いは収納容器内に介在させることにより、果実や野菜から蒸散する湿気が積極的且効率的に人工ゼオライト粉体若しくは合成ゼオライト粉体に一旦吸湿されて果実や野菜或いは生花と本発明からなる収納容器や包装材との間の湿度勾配が無くなるため、果実や野菜或いは生花等からの蒸散が著しく抑制されて長時に亘って萎縮が防止されるとともに、発生するエチレンガスも積極的且効率的吸着がなされるとともに、その保持する触媒作用と且強い塩基置換性により分解消去されるため果実や野菜等の追熟も防止されて長時に亘って鮮度の保持がなされる。【００１１】  更に本発明をベイキングシートに使用した場合には、ベイキング時に溶出する油脂分が積極的且効率的に人工ゼオライト粉体や合成ゼオライト粉体に吸油されて溶出油脂分が拡散されぬため酸化の阻止とともに品質の変性や臭気の発生も防止され、而もクッキー類やパン類等には従来より多種に亘る食品添加物の使用が認められており、且近年に至りこれら食品添加物がベイキングに伴い有害な熱分解ガスを発生していることが危惧されるに至っているものの、仮令有害な熱分解ガスが発生した場合にも即時に人工ゼオライト粉体や合成ゼオライト粉体に吸着され且分解消去されるため、安全且高品質のクッキーやパン類が作成できる。【００１２】  加えて本発明をグリーストラップの流水面に載置させるのみで、油脂分の混在する廃水中の油脂分が選択的に且積極的、効率的に吸油されるためグリーストラップ内側への付着が著しく抑制されるとともに長期使用の場合にも吸油された油脂分の変性に伴う臭気も吸着且分解消臭されるため厨房内が快適且衛生的に保持され、而も所要吸油量に至った場合には本発明ごと廃棄がなしえることから、グリーストラップの清掃が極めて簡便となる。
そして本発明は素地が加工原紙で且アクリル酸やメタクリル酸エマルジョン若しくはポリビニルアルコール水溶液を塗着成分として人工ゼオライト粉体や合成ゼオライト粉体を連続気泡構造の塗膜を以って塗着形成させてなるから、素地が脆弱且低坪量の加工原紙でも十分に実用使用強力に補強されるとともに、使用後も容易に焼却や埋設崩壊がなしえるため廃棄性にも優れる等、多くの特長を保持した吸油、消臭並びに調湿性紙材といえる。
【発明を実施するための最良の形態】
【００１３】  加工原紙からなる素地の一側面にアクリル酸若しくはメタクリル酸エマルジョンからなる塗着成分により、平均粒径が３０μｍ以下で比表面積が８０ｍ２／ｇ以上及び塩基置換容量（ｍｅｑ／１００ｇ）が２５０ｍｇ以上の人工ゼオライト粉体若しくは合成ゼオライト粉体が、素地の坪量に対して少なくとも５０％重量割合以上で、且連続気泡構造の塗膜により塗着形成されてなる構成の吸油、消臭並びに調湿性紙材。
【実施例１】
【００１４】  以下に本発明実施例を図とともに詳細に説明すれば、図１は本発明の拡大断面説明図であり、図２は連続気泡構造の塗膜の拡大断面説明図であって、本発明は極めて広範囲の用途において吸油性や消臭性或いは調湿性を発揮させ、且使用後において焼却や埋設崩壊による廃棄性にも優れるものが望まれるため、素地１としては加工原紙が使用される。【００１５】  この素地１として用いる加工原紙は、該加工原紙自体も吸油性や吸着性或いは吸湿性を保持し、且塗着成分による連続気泡構造の塗膜２が強固に塗着形成できる塗着性をも保持することが必要なことから非塗工紙が用いられるものであるが、その具体的坪量は使用目的に適合した坪量のものが選択されるもので、果実や野菜等の収納容器所謂ダンボールのライナー用としては略８０乃至１２０ｇ／ｍ２の坪量のものが、果実や野菜等の包装袋用としては略３０乃至５０ｇ／ｍ２の坪量のものが、或いは果実や生花の包装用としては略１０乃至２０ｇ／ｍ２の坪量のものが好適である。
更にベイキングシート用としては略１０乃至３０ｇ／ｍ２の坪量のもの、及びグリーストラップ用としては略６０乃至１２０ｇ／ｍ２の坪量のものが望ましい。【００１６】  かくしてなる素地１の一側面には広範囲の使用途における使用条件下においても高い使用安全性を保持しつつ、吸油性や消臭性或いは調湿性を発揮させるための人工ゼオライト粉体若しくは合成ゼオライト粉体３を強固に、且その吸油性や消臭性或いは吸湿性を阻害させぬために連続気泡構造の塗膜２を塗着形成させるため、アクリル酸若しくはメタクリル酸エマルジョンからなる塗着成分２Ａが用いられる。
この塗着成分２Ａとしてのアクリル酸エマルジョンの具体的なものとしては、アクリル酸エステルに微量のアクリル酸ソーダを共重合させてエマルジョン状となしたものや、アクリル酸エチル、アクリル酸ブチル、アクリル酸アマイド等のエマルジョンが挙げられ、更にメタクリル酸エマルジョンの具体的なものとしてはメタクリル酸に炭素数が２乃至１０程度のアルキルエステルとなしたエマルジョンが挙げられる。【００１７】  そしてかかる塗着成分２Ａにより人工ゼオライト粉体若しくは合成ゼオライト粉体３を連続気泡構造の塗膜２を形成させて塗着させる手段も多様なものが提案されるが、具体的手段を示せば塗着成分２Ａとしてのアクリル酸若しくはメタクリル酸が１０乃至２０％重量、人工ゼオライト粉体若しくは合成ゼオライト粉体３が２０乃至３０％重量、調色顔料５乃至１０％重量、気泡剤が０．５乃至５％重量及び水３５乃至５５％重量割合に配合して塗着剤となしたるうえ、エアドクタコーターやブレードコーター等の塗工機により所要重量割合で塗着させ且加熱乾燥を施すことにより、多量の水分蒸散及び特には多量に吸水吸湿してなる人工ゼオライト粉体若しくは合成ゼオライト粉体３からの調湿作用に基づく放湿蒸散と、且気泡剤２Ｂの発泡及び発泡ガスの放散とが相俟って微細且膨大数の連続気泡２Ｃを有する構造の塗膜２が形成されることとなる。
かかる場合の気泡剤２Ｂの具体的なものとしてはジアゾアミノベンゼン、炭酸水素ナトリウム、酢酸アルミニウム、炭酸アンモニウム或いはオレイン酸カリウムやステアリン酸アンモニウム等が挙げられる。【００１８】  かくして連続気泡構造の塗膜２により塗着される人工ゼオライト粉体若しくは合成ゼオライト粉体３は、使用に際して既に水中や空気中に発生存在し若しくは新たに発生し且接触する油脂分や臭気並びにガス或いは湿気等を積極的に吸油、吸着若しくは吸湿させるうえからはその接触表面積率の大きなものが望ましく、而も塗着面の平滑性をも高めるうえからも微粒状のものが望まれるため、その平均粒径においては最大でも３０μｍ以下好ましくは１乃至１０μｍのものが用いられ、更に接触した油脂分や臭気並びにガス或いは湿気を効率良く吸油、吸着若しくは吸湿させるためには吸油容量や吸着容量或いは吸湿容量が十分に大きなものが望まれるため、その比表面積においては少なくとも８０ｍ２／ｇ以上好ましくは１２０乃至１６０ｍ２／ｇのものが用いられる。
加えて吸着された臭気やガスを分解消臭若しくは分解消去させて吸着飽和を減失させ長期に亘る吸着性を保持させるうえからは、本質的に保持する触媒作用に強い塩基置換性を付与せしめることが望まれるため、その塩基置換容量（ｍｅｑ／１００ｇ）においては少なくとも２５０ｍｇ以上好ましくは３００乃至３５０ｍｇの人工ゼオライト粉体若しくは合成ゼオライト粉体３が使用される。【００１９】  更にこの人工ゼオライト粉体若しくは合成ゼオライト粉体３の塗着に際して重要なことは、本発明が広範囲に亘る使用途において吸油や臭気並びにガス等の吸着と分解消臭若しくは分解消去或いは湿気の吸湿と放湿による調湿をなす場合に、既に水中や空気中に混在発生している油脂分や臭気並びにガス或いは湿気、及び新たに発生する油脂分や臭気並びにガス或いは湿気等は広い範囲で混在し若しくは発生するものであるから、これらとの接触により確実且効果的に吸油し若しくは臭気やガスを吸着し且分解消臭並びに分解消去し、或いは調湿を図るうえからは塗着される人工ゼオライト粉体若しくは合成ゼオライト粉体３の絶対吸油容量や絶対吸着容量或いは絶対吸湿容量を可能な限り大容量を以って形成させることが望まれる。【００２０】  反面人工ゼオライト粉体若しくは合成ゼオライト粉体３を多量に塗着せしめて見掛上の絶対吸油容量や絶対吸着容量或いは絶対吸湿容量を増大化させても、実用使用に際しての吸油性や吸着性或いは吸湿性は、即効性のうえではその塗着される人工ゼオライト粉体や合成ゼオライト粉体３の塗着外表面積に大きく左右されることが数多の実用試験結果から把握されている。【００２１】  これがためには該人工ゼオライト粉体若しくは合成ゼオライト粉体３の塗着重量割合としては、使用される素地１の加工原紙の坪量を基準とすることが極めて有利であって、少なくとも素地１の坪量に対して５０％重量割合以上好ましくは１００乃至１５０％重量割合で塗着されることにより本発明品４が形成される。
当然のことながら本発明品４の実用使用に際しては、油脂分や臭気並びにガス或いは湿気等との接触側面に連続気泡構造の塗膜２の塗着面が対峙するよう使用される。【００２２】  図３は果実や野菜等の収納容器として用いられているダンボール箱５に本発明品４を用いた場合の使用態様図であって、かかる果実や野菜類等の収納容器に本発明を使用する目的としては、流通過程における果実や野菜類からの蒸散を抑制し萎縮の防止、及び発生するエチレンガスを吸着させて果実や野菜の追熟を防止し鮮度保持を図ることにあるから、これがためにはダンボール箱５を形成する内側ライナー材５Ａに本発明を使用することや、ダンボール箱５内に消臭調湿紙材５Ｂとして介在させる手段とがあって、内側ライナー材５Ａに使用する場合には素地として坪量が略８０乃至１２０ｇ／ｍ２程度の加工原紙の一側面に、人工ゼオライト粉体若しくは合成ゼオライト粉体３が少なくとも４０乃至６０ｇ／ｍ２程度から８０乃至１２０ｇ／ｍ２程度の塗着重量割合で塗着させたものが好適である。【００２３】  図４は本発明品４による生花包被材の使用態様図であって、生花の包被や水分蒸散若しくは臭気発生の激しい加工食品等の簡易包装では短時の使用後廃棄されるため、安価で且廃棄性に優れ而も吸湿による水分蒸散の抑制と臭気やガスの吸着と分解消臭並びに分解消去がなしえるものであれば良いから、素地１としては略１０乃至２０ｇ／ｍ２の坪量の加工原紙に、人工ゼオライト粉体若しくは合成ゼオライト粉体３が略５乃至２０ｇ／ｍ２の塗着重量割合程度に塗着させたものが用いられる。【００２４】  図５は本発明品４によるベーキングシート６の使用態様図であって、かかる使用途においても短時の使用後廃棄されるため安価で且廃棄性にも優れ、而も溶出油脂の吸油と臭気やガスの吸着と分解消臭並びに分解消去がなしえるものであれば良いが、特にベイキングシート６はベイキング時に高熱が付加されるため耐熱性に優れた連続気泡構造の塗膜２による塗着に配慮する必要がある。
これがため素地１としては略１０乃至３０ｇ／ｍ２の坪量の加工原紙を用い、且塗着成分としてはポリビニルアルコール水溶液が好適であって、人工ゼオライト粉体若しくは合成ゼオライト粉体３を略５乃至２０ｇ／ｍ２の塗着重量割合程度に塗着させたものが望まれる。【００２５】  図６は素地１の両側面に人工ゼオライト粉体若しくは合成ゼオライト粉体３が連続気泡構造の塗膜２、２により塗着形成された本発明品４０の拡大断面説明図であって、厨房排水のグリーストラップ用吸油材として用いる場合の如く、廃水中に多量の油脂分が混在する場合には、本発明品４の如く人工ゼオライト粉体若しくは合成ゼオライト粉体３が素地１の一側面に塗着されたものでは、該塗着面にその選択的吸油性と且積極的効率的吸油性とが相俟って短時に多量の吸油がなされるため、却って頻繁な交換が強いられる結果となる。そして油脂分の吸油挙動は人工ゼオライト粉体若しくは合成ゼオライト粉体３の塗着重量割合の多少よりも油脂分との接触表面積の多少が大きく左右する。
これがためグリーストラップ用吸油材としての使用には図６の如く、素地１の両側面に人工ゼオライト粉体若しくは合成ゼオライト粉体３をそれぞれ連続気泡構造の塗膜２、２により塗着形成させた本発明品４０を使用することにより実質的吸油面積が２倍に拡大されて多量の吸油が長期に亘って確実に且効果的になしえ、而も所要量の吸油がなされた場合には本発明品４０とともに廃棄をなせば良い。【００２６】  図７はグリーストランプ７における本発明品４０の使用状態を示す態様図であって本発明品４０を吸油材として用いる場合には、グリーストラップ７内の各区画７Ａの廃水流水面に、その内面積に合せて形成した本発明品４０を浮かせた状態に載置させれば良い。かかる場合において考慮すべきは、このままの使用では廃水中の油脂分が本発明品４０の廃水接触側面のみに偏在吸油されるため本発明品４０の全面に適宜口径面積の吸油移動穴４０Ａを形成させておくことにより、本発明品４０の両側面に亘って多量の吸油がなされることとなる。
【産業上の利用可能性】
【００２７】  本発明は吸油、消臭並びに調湿性を保持し且安価で廃棄性にも優れるため、果実や野菜若しくは生花等の包装材やベーキングシート、グリーストラップ用吸油材はもとより、壁紙材や要介護者用消臭シーツ等広範囲の利用が可能である。
【図面の簡単な説明】
【００２８】
【図１】  本発明品の拡大断面説明図である。
【図２】  連続気泡構造の塗膜の拡大断面説明図である。
【図３】  ダンボール箱に用いた使用態様図である。
【図４】  生花の包被材に用いた使用態様図である。
【図５】  ベーキングシートに用いた使用態様図である。
【図６】  両側面に塗着された本発明品の拡大断面説明図である。
【図７】  グリーストラップ吸油材に用いた使用態様図である。
【符号の説明】
【００２９】    １    素地
２    連続気泡構造の塗膜
２Ａ  塗着成分
２Ｂ  気泡剤
２Ｃ  微細且多数の連続気泡
３    人工ゼオライト粉体若しくは合成ゼオライト粉体
４    本発明品
４０    両側面に塗着された本発明品
４０Ａ  吸油移動穴
５    ダンボール箱
５Ａ  内側ライナー材
５Ｂ  消臭調湿紙材
６    ベーキングシート
７    グリーストラップ
７Ａ  グリーストラップの区画
【図１】
2005179870.tif 000003
【図２】
2005179870.tif 000004
【図３】
2005179870.tif 000005
【図４】
2005179870.tif 000006
【図５】
2005179870.tif 000007
【図６】
2005179870.tif 000008
【図７】
2005179870.tif 000009